(57)【特許請求の範囲】
【請求項１】
商品券類シートが投入される券投入部と、
該券投入部に投入された商品券類シートを１枚ずつ分離して搬送する券搬送部と、
該券搬送部で搬送中の商品券類シートから情報を読み取る券情報読取部と、
該券情報読取部の読み取り後の商品券類シートを振り分ける券振分手段と、
商品券類シートを集積させるＭ個（Ｍは１以上）の券一時貯留部と、
該券一時貯留部に集積された商品券類シートを一対一で収納するＭ個の券収納部と、
商品券類シートを集積させるＮ個（Ｎは１以上）の券集積部と、
商品券類シートを集積させる１個の券排除部と、
前記券投入部に投入された商品券類シートを前記券情報読取部の読み取り結果に基づき前記券振分手段によって前記Ｍ個の券一時貯留部と前記Ｎ個の券集積部と前記１個の券排除部とに選択的に振り分ける制御部とを有する商品券類処理機であって、
前記券情報読取部は、前記商品券類シート以外に処理特定シートから情報を読み取り可能とされ、
前記制御部は、前記券情報読取部が連続するＮ＋１枚の前記処理特定シートを読み取ったとき、該処理特定シートを前記券振分手段により前記Ｎ個の券集積部および前記１個の券排除部に１枚ずつ振り分け、続いて前記券情報読取部が商品券類シートを読み取ったとき、該商品券類シートを予め定められた区分にしたがって前記Ｍ個の券一時貯留部と前記Ｎ個の券集積部と前記１個の券排除部とに選択的に振り分けることを特徴とする商品券類処理機。
【請求項２】
前記券情報読取部は、終了シートから情報を読み取り可能とされ、
前記制御部は、前記券情報読取部が連続するＮ＋１枚の前記処理特定シートを読み取ったとき、振分処理の開始を判断して、該処理特定シートを前記券振分手段により前記Ｎ個の券集積部および前記１個の券排除部に１枚ずつ振り分け、続いて前記券情報読取部が商品券類シートを読み取ったとき、該商品券類シートを予め定められた区分にしたがって前記Ｍ個の券一時貯留部と前記Ｎ個の券集積部と前記１個の券排除部とに選択的に振り分け、その後、前記券情報読取部が前記終了シートを読み取ると振分処理の終了を判断することを特徴とする請求項１に記載の商品券類処理機。
【請求項３】
前記制御部は、振分処理の終了判断後に承認操作が操作部に入力されると、当該振分処理によって前記Ｍ個の券一時貯留部に集積された商品券類シートを前記Ｍ個の券収納部に収納することを特徴とする請求項２に記載の商品券類処理機。
【請求項４】
Ｍ＝１であり、且つＮ＝１であって、
前記制御部は、前記券情報読取部が同一処理を特定する連続する２枚の前記処理特定シートを読み取ったとき、これら処理特定シートに続いて前記券情報読取部に読み取られた商品券類シートを当該特定された処理について入金処理された商品券類シートであるとして記憶することを特徴とする請求項１乃至３のいずれか一項に記載の商品券類処理機。
【請求項５】
前記制御部は、前記券情報読取部の読み取り結果に基づいて、受付可能且つ収納する商品券類シートと識別した商品券類シートを前記券一時貯留部に送り込み、受付可能且つ収納しない商品券類シートと識別した商品券類シートを前記券集積部に送り込み、受付不可で排除する商品券類シートと識別した商品券類シートを前記券排除部に送り込むことを特徴とする請求項１乃至４のいずれか一項に記載の商品券類処理機。
【請求項６】
前記券搬送部における前記振分手段の直前位置には、前記券情報読取部の読み取り結果に基づいて、受付可能且つ収納する商品券類シートと識別された商品券類シートおよび受付可能且つ収納しない商品券類シートと識別された商品券類シートに使用済み印を印刷するエンドーサを有することを特徴とする請求項５に記載の商品券類処理機。
【請求項７】
前記券情報読取部は、商品券類シートの券面画像を読み取るとともに、商品券類シートに記載された券特定番号を読み取り、
前記制御部は、前記券情報読取部の読み取り結果に基づいて、受付可能且つ収納する商品券類シートと識別した商品券類シートおよび受付可能且つ収納しない商品券類シートと識別した商品券類シートの前記券面画像と前記券特定番号とを関連づけて記憶することを特徴とする請求項５または６に記載の商品券類処理機。
【請求項８】
商品券類シートの種類を指定する種類入力手段を有し、
前記制御部は、前記種類入力手段によって商品券類シートの種類が選択されると、前記券情報読取部の読み取り結果に基づいて、当該選択された種類と識別した商品券類シートを前記振分手段によって前記券一時貯留部および前記券集積部のいずれか一方に送り込み、前記選択された種類とは異なる種類と識別した商品券類シートを前記振分手段によって前記券一時貯留部および前記券集積部のいずれか他方に送り込み、前記選択された種類および前記選択された種類とは異なる種類のいずれにも識別できなかった商品券類シートを前記振分手段によって前記券排除部に送り込むことを特徴とする請求項１乃至７のいずれか一項に記載の商品券類処理機。
【発明の詳細な説明】
【技術分野】
【０００１】
本発明は、回収された商品券や小切手等の商品券類シートを処理する商品券類処理機に関する。
【背景技術】
【０００２】
店舗等において現金の代わりに使用されてレジ等に収納される商品券類シートは、例えば売上金回収時にレジ毎に纏められて商品券類処理機で識別および計数され、精算処理されるようになっている（例えば、特許文献１参照）。
【特許文献１】特開平１０−３４０３６８号公報
【発明の開示】
【発明が解決しようとする課題】
【０００３】
ところで、上記技術にあっては、商品券類処理機によって読み取った商品券類シートの識別情報をオンラインによって管理センタに照会し、真偽確認した後に、識別情報を使用済みとしてデータ処理する消し込み処理を行い、視覚的にも使用済みであることを明示することで、その後は商品券類シートを商品券類処理機の管理側で廃棄可能としている。しかしながら、実際には、商品券類シートを発行した発行元によっては、消し込み処理後は廃棄して良いとする発行元があれば、消し込み処理後も自社に回収することを要求する発行元もあり、消し込み処理した商品券類シートを、さらに廃棄処理するものと、回収処理するものとに区分けする必要があった。このように使用済みの商品券類シートを商品券類処理機によって処理した後に区分けする必要がある場合、従来は手作業で行っていた。
【０００４】
また、上記の区分け作業を商品券類処理機に行わせることを考えた場合、レジ単位等の処理単位毎に商品券類シートを振分処理する際に、一の処理単位の商品券類シートを処理した後、この処理単位の商品券類シートを取り除いてから、次の処理単位の商品券類シートを処理しなければ、処理中あるいは処理後にいずれの処理単位の商品券類シートであるかを見分ける必要が生じた場合に、対応できなくなってしまう。このため、処理単位毎に商品券類シートを抜き取る必要があり、複数の処理単位について処理を行う際に手間と時間がかかってしまう。
【０００５】
したがって、本発明は、使用済みの商品券類シートを予め定められた区分にしたがって分けることができるとともに、手間および時間をかけずに、いずれの処理単位の商品券類シートであるかを見分ける必要が生じた場合の対応が可能な商品券類処理機の提供を目的とする。
【課題を解決するための手段】
【０００６】
上記目的を達成するために、請求項１に係る発明は、商品券類シートが投入される券投入部と、該券投入部に投入された商品券類シートを１枚ずつ分離して搬送する券搬送部と、該券搬送部で搬送中の商品券類シートから情報を読み取る券情報読取部と、該券情報読取部の読み取り後の商品券類シートを振り分ける券振分手段と、商品券類シートを集積させるＭ個（Ｍは１以上）の券一時貯留部と、該券一時貯留部に集積された商品券類シートを一対一で収納するＭ個の券収納部と、商品券類シートを集積させるＮ個（Ｎは１以上）の券集積部と、商品券類シートを集積させる１個の券排除部と、前記券投入部に投入された商品券類シートを前記券情報読取部の読み取り結果に基づき前記券振分手段によって前記Ｍ個の券一時貯留部と前記Ｎ個の券集積部と前記１個の券排除部とに選択的に振り分ける制御部とを有する商品券類処理機であって、前記券情報読取部は、前記商品券類シート以外に処理特定シートから情報を読み取り可能とされ、前記制御部は、前記券情報読取部が連続するＮ＋１枚の前記処理特定シートを読み取ったとき、振分処理の開始を判断して、該処理特定シートを前記券振分手段により前記Ｎ個の券集積部および前記１個の券排除部に１枚ずつ振り分け、続いて前記券情報読取部が商品券類シートを読み取ったとき、該商品券類シートを予め定められた区分にしたがって前記Ｍ個の券一時貯留部と前記Ｎ個の券集積部と前記１個の券排除部とに選択的に振り分けることを特徴としている。
【０００７】
請求項２に係る発明は、請求項１に係る発明において、前記券情報読取部は、終了シートから情報を読み取り可能とされ、前記制御部は、前記券情報読取部が連続するＮ＋１枚の前記処理特定シートを読み取ったとき、振分処理の開始を判断して、該処理特定シートを前記券振分手段により前記Ｎ個の券集積部および前記１個の券排除部に１枚ずつ振り分け、続いて前記券情報読取部が商品券類シートを読み取ったとき、該商品券類シートを予め定められた区分にしたがって前記Ｍ個の券一時貯留部と前記Ｎ個の券集積部と前記１個の券排除部とに選択的に振り分け、その後、前記券情報読取部が前記終了シートを読み取ると振分処理の終了を判断することを特徴としている。
【０００８】
請求項３に係る発明は、請求項２に係る発明において、前記制御部は、振分処理の終了判断後に承認操作が操作部に入力されると、当該振分処理によって前記Ｍ個の券一時貯留部に集積された商品券類シートを前記Ｍ個の券収納部に収納することを特徴としている。
【０００９】
請求項４に係る発明は、請求項１乃至３のいずれか一項に係る発明において、Ｍ＝１であり、且つＮ＝１であって、前記制御部は、前記券情報読取部が同一処理を特定する連続する２枚の前記処理特定シートを読み取ったとき、これら処理特定シートに続いて前記券情報読取部に読み取られた商品券類シートを当該特定された処理について入金処理された商品券類シートであるとして記憶することを特徴としている。
【００１０】
請求項５に係る発明は、請求項１乃至４のいずれか一項に係る発明において、前記制御部は、前記券情報読取部の読み取り結果に基づいて、受付可能且つ収納する商品券類シートと識別した商品券類シートを前記券一時貯留部に送り込み、受付可能且つ収納しない商品券類シートと識別した商品券類シートを前記券集積部に送り込み、受付不可で排除する商品券類シートと識別した商品券類シートを前記券排除部に送り込むことを特徴としている。
【００１１】
請求項６に係る発明は、請求項５に係る発明において、前記券搬送部における前記振分手段の直前位置には、前記券情報読取部の読み取り結果に基づいて、受付可能且つ収納する商品券類シートと識別された商品券類シートおよび受付可能且つ収納しない商品券類シートと識別された商品券類シートに使用済み印を印刷するエンドーサを有することを特徴としている。
【００１２】
請求項７に係る発明は、請求項５または６に係る発明において、前記券情報読取部は、商品券類シートの券面画像を読み取るとともに、商品券類シートに記載された券特定番号を読み取り、前記制御部は、前記券情報読取部の読み取り結果に基づいて、受付可能且つ収納する商品券類シートと識別した商品券類シートおよび受付可能且つ収納しない商品券類シートと識別した商品券類シートの前記券面画像と前記券特定番号とを関連づけて記憶することを特徴としている。
【００１３】
請求項８に係る発明は、請求項１乃至７のいずれか一項に係る発明において、商品券類シートの種類を指定する種類入力手段を有し、前記制御部は、前記種類入力手段によって商品券類シートの種類が選択されると、前記券情報読取部の読み取り結果に基づいて、当該選択された種類と識別した商品券類シートを前記振分手段によって前記券一時貯留部および前記券集積部のいずれか一方に送り込み、前記選択された種類とは異なる種類と識別した商品券類シートを前記振分手段によって前記券一時貯留部および前記券集積部のいずれか他方に送り込み、前記選択された種類および前記選択された種類とは異なる種類のいずれにも識別できなかった商品券類シートを前記振分手段によって前記券排除部に送り込むことを特徴としている。
【発明の効果】
【００１４】
請求項１に係る発明によれば、券投入部に投入された商品券類シートを、券搬送部が１枚ずつ分離して搬送し、券情報読取部がその情報を読み取り、制御部が、適宜処理するとともに券情報読取部の読み取り結果に基づき券振分手段によってＭ個の券一時貯留部とＮ個の券集積部と１個の券排除部とに選択的に振り分ける。したがって、使用済みの商品券類シートを予め定められた区分にしたがって分けることができる。また、Ｎ＋１枚の処理特定シートを処理単位の商品券類シートの先頭にそれぞれ挿入するようにして、複数の処理単位の商品券類シートを重ねて券投入部に投入すると、券情報読取部が最初の処理単位の先頭に挿入された連続するＮ＋１枚の処理特定シートを読み取ることになり、これにより、制御部は、一の単位振分処理の開始を判断して、処理特定シートを券振分手段によりＮ個の券集積部および１個の券排除部に１枚ずつ振り分ける。続いて券情報読取部が商品券類シートを読み取ったとき、商品券類シートを予め定められた区分にしたがってＭ個の券一時貯留部とＮ個の券集積部と１個の券排除部とに選択的に振り分ける。その後、券情報読取部が次の処理単位の先頭に挿入された連続するＮ＋１枚の処理特定シートを読み取ることになり、これにより、制御部は、一の単位振分処理の終了と、次の単位振分処理の開始とを判断し、次の単位振分処理について、上記した一の単位振分処理と同様の処理を行う。このように、各単位振分処理の開始時に処理特定シートをＮ個の券集積部および１個の券排除部に１枚ずつ振り分けるため、Ｎ個の券集積部および１個の券排除部においては、一の処理特定シートと次の処理特定シートとの間に集積された商品券類シートが、前記一の処理特定シートに対応する処理単位に含まれる商品券類シートであることが分かることになる。したがって、処理単位毎に商品券類シートを抜き取るといった手間および時間をかけることなく、複数の処理単位の商品券類シートを連続的に処理しても、Ｎ個の券集積部および１個の券排除部に集積された商品券類シートについては、いずれの処理単位の商品券類シートであるかを見分ける必要が生じた場合の対応が可能となる。
【００１５】
請求項２に係る発明によれば、複数の処理単位の商品券類シートを重ね、これらの末端に終了シートを挿入するようにして券投入部に投入すると、最後に券情報読取部が終了シートを読み取ると、制御部は、一連の振分処理の終了を判断する。したがって、一連の振分処理の終了を即座に、且つ確実に判断することができる。
【００１６】
請求項３に係る発明によれば、制御部は、振分処理の終了判断後に承認操作が操作部に入力されると、当該振分処理によってＭ個の券一時貯留部に集積された商品券類シートをＭ個の券収納部に収納するため、例えば、いずれの処理単位の商品券類シートであるかを後で見分ける必要が生じない廃棄処理する商品券類シートについては、承認した後はまとめて収納し、まとめて廃棄処理することができる。したがって、廃棄処理の効率を向上できる。
【００１７】
請求項４に係る発明によれば、券一時貯留部が１個あり、券集積部が１個あって、制御部は、券情報読取部が同一処理を特定する連続する２枚の処理特定シートを読み取ったとき、これら処理特定シートに続いて券情報読取部に読み取られた商品券類シートを当該特定された処理について入金処理された商品券類シートであるとして記憶する。よって、例えば、いずれの処理単位の商品券類シートであるかを後で見分ける必要が生じ得る回収処理する商品券類シートを券集積部に、いずれの処理単位の商品券類シートであるかを後で見分ける必要が生じない廃棄処理する商品券類シートについては券一時貯留部に集積させることができ、適正に区分けすることができる。
【００１８】
請求項５に係る発明によれば、制御部は、券情報読取部の読み取り結果に基づいて受付可能且つ収納する商品券類シートと識別した商品券類シートを券一時貯留部に送り込み、券情報読取部の読み取り結果に基づいて受付可能且つ収納しない商品券類シートと識別した商品券類シートを券集積部に送り込み、券情報読取部の読み取り結果に基づいて受付不可で排除する商品券類シートと識別した商品券類シートを券排除部に送り込むため、受付可能且つ機内に収納する商品券類シートと、受付可能且つ機内に収納せず取り出される商品券類シートと、受付不可で排除する商品券類シートとを適正に区分けすることができる。
【００１９】
請求項６に係る発明によれば、券情報読取部の読み取り結果に基づいて受付可能且つ収納する商品券類シートと識別された商品券類シートおよび券情報読取部の読み取り結果に基づいて受付可能且つ収納しない商品券類シートと識別された商品券類シートにエンドーサで使用済み印を印刷することになるため、受付可の商品券類シートに使用済みであることを明示できる。
【００２０】
請求項７に係る発明によれば、券情報読取部が、商品券類シートの券面画像を読み取り、商品券類シートに記載された券特定番号を読み取ると、制御部が、消し込み処理として、受付可能且つ収納する商品券類シートと識別した商品券類シートおよび受付可能且つ収納しない商品券類シートと識別した商品券類シートの券面画像と券特定番号とを関連づけて記憶するため、必要により、これらの関連付けされたデータを確認することができる。
【００２１】
請求項８に係る発明によれば、種類入力手段によって商品券類シートの種類が選択されると、制御部が、券情報読取部の読み取り結果に基づいて当該選択された種類と識別した商品券類シートを振分手段によって券一時貯留部および券集積部のいずれか一方に送り込み、券情報読取部の読み取り結果に基づいて選択された種類とは異なる種類と識別した商品券類シートを振分手段によって券一時貯留部および券集積部のいずれか他方に送り込み、券情報読取部の読み取り結果に基づいて選択された種類および選択された種類とは異なる種類のいずれにも識別できなかった商品券類シートを振分手段によって券排除部に送り込むことになるため、振り分けの仕方を容易に設定可能になる。
【発明を実施するための最良の形態】
【００２２】
本発明の一実施形態の商品券類処理機を図面を参照して以下に説明する。
本実施形態の商品券類処理機１１は、図１に示すように、処理機本体１２と、処理機本体１２の前面側上部に引き出し可能に設けられる上段ユニット１３と、処理機本体１２の前面側下部に引き出し可能に設けられる下段ユニット１４とで全体が構成されている。
【００２３】
上段ユニット１３の前面側の上面には、ユーザによって入力が行われるとともにユーザに対して操作ガイダンス等の表示を行うタッチパネル式の表示操作部１８と、商品券類シート等のシートが集積状態で投入される券投入部１９とが設けられている。券投入部１９には、横長のシートが機体前後方向に長手方向を沿わせ上下方向に集積された状態で装填されることになり、その際にシートを上側から押すビルプレス２０が設けられている。また、上段ユニット１３の前面には、電源スイッチ２３と、機内から繰り出されたシートを取り出し可能に集積させる券排除部２４および券集積部２５と、上段ユニット１３を処理機本体１２から引き出す際に操作される引出用取っ手２６とが設けられている。
【００２４】
下段ユニット１４の前面には、下段ユニット１４を処理機本体１２から引き出す際に操作される引出用取っ手２７と、下段ユニット１４を処理機本体１２に対して閉状態でロックおよびロック解除するための専用の鍵２８とが設けられている。
【００２５】
処理機本体１２の上面には、着脱可能な外部記憶媒体３０が挿入されることで外部記憶媒体３０と通信可能になる記憶媒体挿入口３１が設けられている。
【００２６】
商品券類処理機１１の内部には、図２に示すように、商品券類処理機１１の全体を制御する制御部３３と、各種データを記憶する記憶部３４とが設けられており、制御部３３は図１に示す記憶媒体挿入口３１に装着された外部記憶媒体３０とも通信可能となっている。
【００２７】
券投入部１９の内側には、券投入部１９に投入された集積状態のシートＳを最下のものから１枚ずつ分離して繰り出し搬送する券搬送部３７が設けられている。この券搬送部３７は、券投入部１９の位置から機体の後方に向け延出する前段搬送部３８と、前段搬送部３８の端末から下側に半円状に湾曲することで搬送方向を１８０度反転させる中間搬送部３９と、中間搬送部３９の端末から機体の前方に向け延出する後段搬送部４０とを有している。
【００２８】
券搬送部３７の前段搬送部３８には、前段搬送部３８で搬送中のシートＳから情報を読み取る券情報読取部４３が設けられている。この券情報読取部４３は、例えばＣＣＤカメラ等の画像検出装置４４を備えており、搬送中のシートＳの券面画像データを撮像する。そして、制御部３３は、シートＳが図３に示すような商品券類シートＳ（１）である場合、その券面画像データを画像処理することで券種（発行元）、額面、商品券類シートＳ（１）に個別に与えられた券特定番号等を割り出す。ここでは、表面にこれらの読み取るべき情報がすべて印刷されている商品券類シートＳ（１）を処理対象としている。つまり、受付可能な商品券類シートＳ（１）の裏面に読み取るべき情報はない。よって、画像検出装置４４は表面を撮像可能に片側にのみ設けられている。これに合わせて搬送時に表面が、下側に配置された画像検出装置４４に向くように、券投入部１９への装填時の商品券類シートＳ（１）の向きも表面を下向きにするように規定される。
【００２９】
ここで、例えば、商品券類シートＳ（１）は、発行元毎に特有の位置に券特定番号Ａが印刷されているため、制御部３３は、画像検出装置４４で読み取った券面画像データから番号表示を切り出し、その印刷位置から発行元つまり券種を特定する。また、切り出した番号表示の券面画像データをＯＣＲ処理して券特定番号Ａを割り出すとともに、券特定番号Ａに含まれる数字から額面を割り出す。なお、券特定番号を示すバーコードＢが記載されている場合、これから情報を読み取っても良い。
【００３０】
また、券情報読取部４３は、商品券類シートＳ（１）以外に、図４に示す処理特定シートＳ（２）および図５に示す終了シートＳ（３）についても情報を読み取り可能となっている。
【００３１】
商品券類シートＳ（１）は、例えばレジ単位あるいは店舗単位等を処理単位として処理単位毎に処理されることになり、処理特定シートＳ（２）は、各処理単位を他の処理単位と識別するためのものである。処理特定シートＳ（２）は、受付可能なすべての商品券類シートの券特定番号の印刷位置とは異なる位置に、処理単位を特定する処理特定番号Ｃが印刷されている。制御部３３は、画像検出装置４４で読み取った券面画像データから番号表示を切り出し、その印刷位置から処理特定シートＳ（２）であることを特定する。また、切り出した番号表示の券面画像データをＯＣＲ処理して処理特定番号Ｃを割り出す。レジ単位を処理単位とする場合は処理特定番号Ｃがレジを特定するレジ特定番号となり、店舗単位を処理単位とする場合は処理特定番号Ｃが店舗を特定する店舗特定番号となる。また、処理特定シートＳ（２）には、目視容易なように、「処理特定シート」の文字と、処理単位であるレジを特定するレジ特定番号Ｄとが記載されている。この処理特定シートＳ（２）は、同じ処理特定番号を有するものが券排除部２４および券集積部２５の数と同数つまり２枚一組で使用される。
【００３２】
終了シートＳ（３）には、処理特定シートＳ（２）の処理特定番号Ｃと同じ位置に、処理特定番号Ｃでは採り得ない、終了シートＳ（３）であることを特定する終了番号Ｅが印刷されている。制御部３３は、画像検出装置４４で読み取った券面画像データから終了番号Ｅを読み取ると終了シートＳ（３）であることを特定する。また、終了シートＳ（３）には、目視容易なように、「終了シート」の文字が記載されている。
【００３３】
図２に示すように、券搬送部３７の後段搬送部４０は、上流側に、二方向に分岐する分岐搬送路４６，４７を有しており、一方の分岐搬送路４６は略水平に機体前方に延出し、他方の分岐搬送路４７は前下がりの姿勢で機体前方に延出する。また、後段搬送部４０は、下流側に、分岐搬送路４６をさらに二方向に分岐する分岐搬送路４８，４９を有しており、一方の分岐搬送路４８は略水平に機体前方に延出し、他方の分岐搬送路４９は前下がりの姿勢で機体前方に延出する。そして、分岐搬送路４８は上記した券排除部２４につながり、分岐搬送路４９は上記した券集積部２５につながっている。
【００３４】
券搬送部３７の後段搬送部４０には、中間搬送部３９から搬送されてきたシートＳを分岐搬送路４６，４７に選択的に振り分ける上流側券振分部（券振分手段）５１と、分岐搬送路４６から搬送されてきたシートＳを分岐搬送路４８，４９に選択的に振り分ける下流側券振分部（券振分手段）５２とが設けられている。これら上流側券振分部５１および下流側券振分部５２は、券情報読取部４３より下流側つまり券情報読取部４３の読み取り後の商品券類シートを主体とするシートＳを振り分ける。
【００３５】
上流側で分岐する分岐搬送路４７の端末位置には、商品券類シートＳ（１）を上下方向に集積させて一時貯留させる、底部が開閉可能な券一時貯留部５５が設けられている。この券一時貯留部５５は、券情報読取部４３の読み取り結果に基づいて受付可能と識別された商品券類シートＳ（１）のうち機内に収納する所定の商品券類シートＳ（１）、具体的には、発行元に回収せず、商品券類処理機１１の管理側でまとめて廃棄処理する使用済みの商品券類シートＳ（１）を受け入れる。
【００３６】
券一時貯留部５５は、上下に開口する四角枠状の枠体５６と、相互に近接・離間するように水平移動することで枠体５６の下部開口部を開閉する一対のシャッタ５７，５７と、枠体５６内を上下に貫通するように昇降するプッシャ５８とを有している。この券一時貯留部５５は、プッシャ５８が枠体５６の上方に位置する状態で、分岐搬送路４７から１枚ずつ繰り出される商品券類シートＳ（１）を閉状態のシャッタ５７，５７上に下から上に順に集積させる。券一時貯留部５５は、券投入部１９、券搬送部３７、券情報読取部４３、上流側券振分部５１、下流側券振分部５２、券排除部２４および券集積部２５とともに上段ユニット１３に設けられており、上段ユニット１３が処理機本体１２から引き出されると、集積させていた商品券類シートＳ（１）が機外に取り出し可能になる。
【００３７】
券一時貯留部５５の下方には、券一時貯留部５５に集積された商品券類シートＳ（１）を収納する券収納部６０が設けられている。この券収納部６０は、上部開口部を有する有底筒状の箱体６１と、箱体６１内で上下に昇降するとともに上側に図示略のスプリングで付勢される底板６２と、箱体６２の上部開口部の対辺位置に揺動可能に設けられた一対の係止板６３，６３とを有している。一対の係止板６３，６３はともに水平位置にある閉状態からともに下方向に揺動して開状態となるもので、閉状態を維持するように図示略のスプリングで付勢されている。
【００３８】
この券収納部６０は、上下に集積された商品券類シートＳ（１）を、閉状態の一対の係止板６３，６３と上方に付勢された底板６２とで挟持する。券一時貯留部５５の商品券類シートＳ（１）を収納する際には、券一時貯留部５５のシャッタ５７，５７が開作動されることによって券一時貯留部５５から落下した商品券類シートＳ（１）を閉状態の一対係止板６３，６３およびすでに収納している商品券類シートＳ（１）で受け取る。そして、券一時貯留部５５のプッシャ５８が下降することで、プッシャ５８が係止板６３，６３上の商品券類シートＳ（１）、すでに券収納部６０に収納されている商品券類シートＳ（１）および底板６２を下方に押圧し、これらを下降させる。すると、係止板６３，６３上の商品券類シートＳ（１）は、一対の係止板６３，６３を開作動させながら下降することになり、係止板６３，６３上にあった商品券類シートＳ（１）が一対の係止板６３，６３を通過すると、一対の係止板６３，６３は図示略のスプリングの付勢力で閉状態に戻る。その後、プッシャ５８が上昇すると、底板６２が図示略のスプリングの付勢力で上昇し、商品券類シートＳ（１）を一対の係止板６３，６３との間に保持する。プッシャ５８は、最終的に枠体５６の上方の待機位置に戻る。
【００３９】
この券収納部６０は、下段ユニット１４に着脱可能に設けられており、鍵２８によってロックが解除されて下段ユニット１４が処理機本体１２から引き出された状態で、下段ユニット１４から取り外される。
【００４０】
券排除部２４は、分岐搬送路４８から１枚ずつ繰り出される商品券類シートを主体とするシートＳを下から上に順に集積させるもので、機外に開口していることで、集積させていたシートＳがそのまま機外に取り出し可能となっている。この券排除部２４には、券情報読取部４３の読み取り結果に基づいて受付不可と識別された商品券類シートを集積させる。
【００４１】
券集積部２５は、分岐搬送路４９から１枚ずつ繰り出される商品券類シートを主体とするシートＳを下から上に順に集積させるもので、機外に開口していることで、集積状態のシートＳがそのまま機外に取り出し可能となっている。この券集積部２５には、券情報読取部４３の読み取り結果に基づいて受付可能且つ機内に収納しないと識別された商品券類シート、具体的には発行元に回収する使用済みの商品券類シートを集積させる。
【００４２】
券搬送部３７における上流側券振分部５１の直前位置には、券情報読取部４３の読み取り結果に基づいて受付可能且つ収納する商品券類シートと識別された商品券類シート（つまり券一時貯留部５５に送り込まれる商品券類シート）および券情報読取部４３の読み取り結果に基づいて受付可能且つ収納しない商品券類シートと識別された商品券類シート（つまり券集積部２５に送り込まれる商品券類シート）に、消し込み処理として使用済み印を印刷する図示略のインクローラを備えたエンドーサ６５が設けられている。
【００４３】
なお、上記のように、券搬送部３７が、商品券類シートを機体の前から後に搬送し下側で１８０度反転させて後から前に搬送することから、ユーザによる取り出し時のことを考慮して券集積部２５および券排除部２４において表面側が上側となるように商品券類シートを集積させるべく、上記のように券投入部１９における商品券類シートの装填方向を表面を下向きとし、券搬送部３７の前段搬送部３８に画像検出装置４４を下側に配置するようにした。しかしながら、画像検出装置４４を券搬送部３７の前段搬送部３８の搬送範囲の上側に配置するように配置しても良く、この場合は、券投入部１９への装填時の商品券類シートの向きも情報が記載された面が上側に向くように規定される。また、商品券類シートの両面を検出可能となるように画像検出装置４４を券搬送部３７を挟むように一対設けても良く、この場合、券投入部１９への装填時の商品券類シートの集積方向は特に規定しなくても済むことになる。
【００４４】
次に、制御部３３の制御内容を、商品券類処理機１１の作動とともに説明する。
【００４５】
まず、オペレータは、図６に示すように、２枚一組の処理特定シートＳ（２）を各処理単位Ｔの商品券類シートＳ（１）の先頭にそれぞれ挿入し、一度に券投入部１９に投入する最後の処理単位Ｔの末端に終了シートＳ（３）を挿入するようにして複数の処理単位Ｔを重ねて券投入部１９に投入する。つまり、オペレータは、一の処理特定番号が記載された１枚の処理特定シートＳ（２）、これと同じ処理特定番号が記載された１枚の処理特定シートＳ（２）、一の処理単位Ｔの１枚以上の商品券類シートＳ（１）、別の処理特定番号が記載された１枚の処理特定シートＳ（２）、これと同じ処理特定番号が記載された１枚の処理特定シートＳ（２）、別の処理単位Ｔの１枚以上の商品券類シートＳ（１）、という順にシートを集積させ、これら集積の最後に１枚の終了シートＳ（３）を重ねる。このとき、オペレータは、処理特定シートＳ（２）、商品券類シートＳ（１）、終了シートＳ（３）のすべてが、上記した集積時の順番における先側に、情報が記載された表面を向けるように集積させて、この先側を下に向けて券投入部１９に投入する。このとき、投入されたシート群を上側からピルプレス２０で押圧する。
【００４６】
そして、表示操作部１８に振分処理開始の操作入力がなされると、制御部３３は、券搬送部３７を駆動して、集積されたシートＳを最下のものから１枚ずつ分離して機内に取り込み搬送する。すると、券情報読取部４３がシートＳの表面を順次読み取って記憶部３４に記憶することになり、制御部３３は、読み取り記憶した券面画像データから番号表示の位置を割り出すとともに番号表示の番号を割り出し、これらを記憶部３４に記憶されたマスタデータと比較することによって、読み取ったシートＳが、処理特定シートＳ（２）であるか、商品券類シートＳ（１）であるか、終了シートＳ（３）であるか、これら以外であるかを判断する。
【００４７】
制御部３３は、振分処理開始後に、券情報読取部４３が最初に読み取ったシートＳが、一の処理特定番号が記載された処理特定シートＳ（２）であり、次に読み取ったシートＳが、これと同じ処理特定番号が記載された処理特定シートＳ（２）であった場合、この処理特定番号で特定される一の単位振分処理の開始を判断するとともに、これらの処理特定シートＳ（２）を券排除部２４および券集積部２５に１枚ずつ振り分ける。つまり、これらの処理特定シートＳ（２）を上流側券振分部５１によって分岐搬送路４６に案内し、さらに下流側券振分部５２によって、１枚の処理特定シートＳ（２）を分岐搬送路４８を介して券排除部２４に、もう１枚の処理特定シートＳ（２）を分岐搬送路４９を介して券集積部２５にそれぞれ送りこむ。
【００４８】
上記した２枚の処理特定シートＳ（２）に続いて、券情報読取部４３が商品券類シートＳ（１）を読み取ることになるが、制御部３３は、その読み取り結果に基づいて、商品券類シートＳ（１）を予め定められた区分にしたがって、上流側券振分部５１および下流側券振分部５２によって券一時貯留部５５と券排除部２４と券集積部２５とに選択的に振り分ける。
【００４９】
つまり、券情報読取部４３で読み取った券面画像データから、番号表示の印刷位置を割り出し、番号表示が読み出せなかった商品券類シートＳ（１）と、番号表示の印刷位置のデータに対して、記憶部３４に記憶されたマスタデータの中に一致するものがない商品券類シートＳ（１）と、二種類以上のマスタデータに類似していて一つに特定できない商品券類シートＳ（１）とについては、受付不可と判断し、券特定番号をＯＣＲ処理することなく、且つエンドーサ６５で印刷を行うことなく、上流側券振分部５１および下流側券振分部５２によって券排除部２４に繰り出す。
【００５０】
また、券情報読取部４３の読み取り結果に基づく印刷位置のデータに対して、記憶部３４に記憶されたマスタデータの中に一致するものがあった商品券類シートＳ（１）については、受付可能であると識別するとともに、一致したマスタデータの券種と識別して、券特定番号をＯＣＲ処理で特定し、券種と、券特定番号と、商品券類シートＳ（１）の表面全体の券面画像データとを、使用済みであることおよびこの一の単位振分処理の開始を判断した処理特定シートＳ（２）に印刷されていた処理特定番号にすべて関連付けして記憶部３４に記憶する消し込み処理を行う。この受付可能な商品券類シートＳ（１）については、さらに、エンドーサ６５で使用済みの印を印刷して、券種毎に記憶部３４に記憶されている、収納するか否かの情報に応じて券一時貯留部５５と券集積部２５とに振り分ける。つまり、受付可能且つ収納する券種と識別された商品券類シートＳ（１）は券一時貯留部５５に、受付可能且つ収納しない券種と識別された商品券類シートＳ（１）は券集積部２５に、それぞれ送りこむ。なお、消し込み処理として、オンラインによって券特定番号を券種から割り出される発行元に照会するようにしても良い。
【００５１】
ここで、番号表示の印刷位置のデータに対して、マスタデータの中に一致するものがあっても、券特定番号をＯＣＲ処理で特定できなかった商品券類シートＳ（１）および券特定番号が不適切であった商品券類シートＳ（１）等のエラーシートについては、受付不可と判断し、エンドーサ６５で印刷を行うことなく、券排除部２４に繰り出す。
【００５２】
以上のようにして最初の処理単位Ｔの商品券類シートＳ（１）をすべて振り分けた後、券情報読取部４３が別の処理特定番号が記載された処理特定シートＳ（２）を読み取ると、制御部３３は、前記一の単位振分処理、つまり最初の処理単位Ｔの商品券類シートＳ（１）の単位振分処理の終了を判断する。
【００５３】
以上により、制御部３３は、券情報読取部４３が同一の単位振分処理を特定する連続する２枚の処理特定シートＳ（２）を読み取ると、これら処理特定シートＳ（２）に続いて券情報読取部４３に読み取られた商品券類シートＳ（１）のうち受付可能なものを、当該特定された処理について入金処理された商品券類シートＳ（１）であるとして、処理特定シートＳ（２）に印刷されていた処理特定番号にすべて関連づけして記憶部３４に記憶することになる。
【００５４】
制御部３３は、券情報読取部４３が読み取ったシートＳが、上記のように別の処理特定番号が記載された処理特定シートＳ（２）であり、次に読み取ったシートＳが、これと同じ処理特定番号が記載された処理特定シートＳ（２）であった場合、この処理特定番号で特定される次の単位振分処理の開始を判断するとともに、これらの処理特定シートＳ（２）を券排除部２４および券集積部２５に１枚ずつ振り分け、その後、上記と同様に処理を行う。
【００５５】
このようにして、券情報読取部４３が最後の処理単位Ｔの商品券類シートＳ（１）をすべて読み取り、最後に終了シートＳ（３）を読み込むと、制御部３３は、一以上の単位振分処理で構成される一連の振分処理が終了したと判断して、この一連の振分処理で消し込み処理した商品券類シートＳ（１）について、表示操作部１８に、例えば額面別データおよび合計額面を券種毎にわけて表示させる。なお、終了シートＳ（３）については、券排除部２４（券集積部２５でも可）に送り込むことになり、この送り込みが完了すると、制御部３３は券搬送部３７を停止させる。上記表示を見てオペレータが表示操作部１８に承認操作を入力すると、制御部３３は、この一連の振分処理によって券一時貯留部５５に集積された商品券類シートＳ（１）を券収納部６０に収納する。
【００５６】
上記した一連の振分処理の終了後、券集積部２５には、発行元に回収する使用済みの商品券類シートＳ（１）が集積されることになり、これをオペレータは取り出して、例えば目視で分類して各発行元への回収に備える。
【００５７】
また、券収納部６０には、発行元に回収する必要のない使用済みの商品券類シートＳ（１）が収納されることになり、複数の振分処理で処理された使用済みの商品券類シートＳ（１）がまとめて商品券類処理機１１の管理側で廃棄される。
【００５８】
また、券排除部２４に排除された商品券類シートＳ（１）については、オペレータは目視で確認の上、手入力によって、券種と券特定番号とを、使用済みであることと関連付けして記憶部３４に記憶する消し込み処理を行って、商品券類処理機１１の管理側で廃棄するものか、発行元へ回収するものかに分類することになる。あるいは、券排除部２４に排除された商品券類シートＳ（１）については、処理単位Ｔ間に一枚ずつすでに挿入されている処理特定シートＳ（２）のそれぞれに隣り合うように一枚ずつ処理特定シートＳ（２）を追加し、券投入部１９に投入して再度振分処理を行うようにしても良い。
【００５９】
なお、上記した承認操作ではなく、表示操作部１８にキャンセル操作が入力されると、制御部３３は、券一時貯留部５５に集積された商品券類シートＳ（１）を券収納部６０に収納しない。よって、オペレータは、上部ユニット１３を引き出して券一時貯留部５５に集積された商品券類シートＳ（１）を取り出すことになる。
【００６０】
上記振分処理において、券情報読取部４３によって一番最初に処理特定シートＳ（２）を読み取った場合と、商品券類シートＳ（１）の直後に処理特定シートＳ（２）を読み取った場合とについては、それぞれ読み取った処理特定シートＳ（２）を含んで同じ処理特定番号を有する２枚の処理特定シートＳ（２）を連続して読み取ることができなかった場合（３枚以上読み取った場合を含む）に、制御部３３は、券投入部１９へのシートＳの投入が適正でなくエラーが発生したと判断してアラームを発生させるとともに、券搬送部３７による搬送を停止させることになる。これにより、オペレータは、上部ユニット１３を引き出すことでその側面を開放して、券搬送部３７および券一時貯留部５５からシートＳを取り出すとともに、券投入部１９、券排除部２４のおよび券集積部２５にあるシートＳを取り出し、再度集積し直して、券投入部１９へ投入する。
【００６１】
なお、連続検出の規定枚数である２枚よりも多い３枚目の処理特定シートＳ（２）を券情報読取部４３が検出した時点で、制御部３３が券搬送部３７による搬送を停止したときに、３枚目の処理特定シートＳ（２）よりも前に読み取った２枚の処理特定シートＳ（２）が券搬送部３７内に留まるように、券搬送部３７の搬送長さ等が設定されている。これは、エラーが発生した単位振分処理の、それ以前の単位振分処理との区別を容易にするためである。
【００６２】
また、上記エラー発生時点で、それ以降の券投入部１９からのシートＳの券搬送部３７による搬送を停止させ、券搬送部３７に存在するすべてのシートＳを、上流側券振分部５１および下流側券振分部５２によって券排除部２４に繰り出すようにしても良い。この場合、券排除部２４にすでに集積されている、処理済みのシートＳと一緒になり錯誤を生じる可能性があるため、専用でエラーのシートＳを集積させる第２の券排除部を設けるのが良い。
【００６３】
以上に述べた本実施形態の商品券類処理機１１によれば、券投入部１９に投入された商品券類シートＳ（１）を、券搬送部３７が１枚ずつ分離して搬送し、券情報読取部４３がその情報を読み取り、制御部３３が、適宜消し込み処理するとともに券情報読取部４３の読み取り結果に基づき上流側券振分部５１および下流側券振分部５２によって１個の券一時貯留部５５と１個の券集積部２５と１個の券排除部２４とに選択的に振り分ける。したがって、使用済みの商品券類シートＳ（１）を予め定められた区分にしたがって分けることができる。
【００６４】
また、２枚の処理特定シートＳ（２）を処理単位の商品券類シートＳ（１）の先頭にそれぞれ挿入するようにして、複数の処理単位Ｔの商品券類シートＳ（１）を重ねて券投入部１９に投入すると、券情報読取部４３が最初の処理単位Ｔの先頭位置に挿入された連続する２枚の処理特定シートＳ（２）を読み取ることになり、これにより、制御部３３は、一の単位振分処理の開始を判断して、処理特定シートＳ（２）を上流側券振分部５１および下流側券振分部５２により１個の券集積部２５および１個の券排除部２４に１枚ずつ振り分ける。続いて券情報読取部４３が商品券類シートＳ（１）を読み取ったとき、商品券類シートＳ（１）を予め定められた区分にしたがって１個の券一時貯留部５５と１個の券集積部２５と１個の券排除部２４とに選択的に振り分ける。その後、券情報読取部４３が次の処理単位の先頭に挿入された連続する２枚の処理特定シートＳ（２）を読み取ることになり、これにより、制御部３３は、一の単位振分処理の終了と、次の単位振分処理の開始とを判断し、次の単位振分処理について、上記した一の単位振分処理と同様の処理を行う。
【００６５】
このように、各単位振分処理の開始時に処理特定シートＳ（２）を券集積部２５および券排除部２４に１枚ずつ振り分けるため、券集積部２５および券排除部２４においては、一の処理特定シートＳ（２）と次の処理特定シートＳ（２）との間に集積された商品券類シートＳ（１）が、一の処理特定シートＳ（２）に対応する処理単位に含まれる商品券類シートＳ（１）であることが分かることになる。したがって、処理単位毎に商品券類シートＳ（１）を抜き取るといった手間および時間をかけることなく、複数の処理単位の商品券類シートＳ（１）を連続的に処理しても、券集積部２５および券排除部２４に集積された商品券類シートＳ（１）については、いずれの処理単位Ｔの商品券類シートＳ（１）であるかを見分ける必要が生じた場合の対応が可能となる。
【００６６】
しかも、複数の処理単位Ｔの商品券類シートＳ（１）を重ね、これらの末端に終了シートＳ（３）を挿入するようにして券投入部１９に投入すると、最後に券情報読取部４３が終了シートＳ（３）を読み取ると、制御部３３は、一連の振分処理の終了を判断する。したがって、一連の振分処理の終了を即座に、且つ確実に判断することができる。なお、券投入部１９に投入されたすべてのシートＳが、券排除部２４、券集積部２５および券一時貯留部５５のいずれかに送り込まれることで、券投入部１９に存在しなくなったことを検出すると、制御部３３が、一連の振分処理の終了を判断するようにしても良い。
【００６７】
また、制御部３３は、一連の振分処理の終了判断後に承認操作が表示操作部１８に入力されると、当該一連の振分処理によって券一時貯留部５５に集積された商品券類シートＳ（１）を券収納部６０に収納するため、いずれの処理単位Ｔの商品券類シートＳ（１）であるかを後で見分ける必要が生じない廃棄処理する商品券類シートＳ（１）については、承認した後は券収納部６０にまとめて収納し、商品券類処理機１１の管理側でまとめて廃棄処理することができる。したがって、廃棄処理の効率を向上できる。
【００６８】
また、券一時貯留部５５が１個あり、券集積部２５が１個あって、制御部３３は、券情報読取部４３が同一の振分処理を特定する連続する２枚の処理特定シートＳ（２）を読み取ったとき、これら処理特定シートＳ（２）に続き、且つ終了シートＳ（３）が読み取られる前に券情報読取部４３に読み取られた商品券類シートＳ（１）を当該特定された一連の振分処理について入金処理された商品券類シートＳ（１）であるとして記憶する。よって、いずれの処理単位の商品券類シートＳ（１）であるかを後で見分ける必要が生じ得る回収処理する商品券類シートＳ（１）を券集積部２５に、いずれの処理単位の商品券類シートＳ（１）であるかを後で見分ける必要が生じない、商品券類処理機１１の管理側で廃棄処理する商品券類シートＳ（１）については券一時貯留部５５に集積させることができ、区分けすることができる。
【００６９】
また、制御部３３は、券情報読取部４３の読み取り結果に基づいて受付可能且つ収納すると識別した商品券類シートＳ（１）を券一時貯留部５５に送り込み、券情報読取部４３の読み取り結果に基づいて受付可能且つ収納しないと識別した商品券類シートＳ（１）を券集積部２５に送り込み、券情報読取部４３の読み取り結果に基づいて受付不可で排除すると識別した商品券類シートＳ（１）を券排除部２４に送り込むため、受付可能且つ機内に収納する商品券類シートＳ（１）と、受付可能且つ機内に収納せず取り出される商品券類シートＳ（１）と、受付不可で排除する商品券類シートＳ（１）とを適宜区分けすることができる。
【００７０】
また、券情報読取部４３の読み取り結果に基づいて受付可能且つ収納すると識別された商品券類シートＳ（１）および券情報読取部４３の読み取り結果に基づいて受付可能且つ収納しないと識別された商品券類シートＳ（１）にエンドーサ６５で使用済み印を印刷することになるため、受付可で消し込み処理した商品券類シートＳ（１）に使用済みであることを明示できる。
【００７１】
また、券情報読取部４３が、商品券類シートＳ（１）の券面画像を読み取り、商品券類シートＳ（１）に記載された券特定番号を読み取ると、制御部３３が、受付可能且つ収納すると識別した商品券類シートＳ（１）および受付可能且つ収納しないと識別した商品券類シートＳ（１）の券面画像と券特定番号とを関連づけて記憶するため、必要により、これらの関連付けされたデータを表示操作部１８に表示させて確認することができる。また、このデータを記憶媒体挿入口３１に挿入された外部記憶媒体３０に記憶して外部の管理機で管理することも可能である。券情報読取部４３が商品券類シートの両面の券面画像データを読み取り可能に構成される場合も、両面の券面画像データを券特定番号と関連づけて記憶部４３に記憶したり、これを外部記憶媒体３０に記憶したりすることができる。
【００７２】
なお、以上においては、１個の券一時貯留部５５と１個の券集積部２５とを有する場合を例にとり説明したが、例えば商品券類シートＳ（１）をそれぞれが券種別（発行元別）に分類するように、券一時貯留部５５を１以上のＭ個に、券収納部６０を券一時貯留部５５と同数の１以上のＭ個に、券集積部２５を１以上のＮ個にしても良い。この場合、上記Ｍ，Ｎを用いて表すと、各振分処理単位の商品券類シートＳ（１）の前それぞれにＮ＋１枚の処理特定シートＳ（２）が挿入されることになり、制御部３３は、券情報読取部４３が連続するＮ＋１枚の処理特定シートＳ（２）を読み取ったとき、一の単位振分処理の開始を判断して、処理特定シートＳ（２）をＮ個の券集積部２５および１個の券排除部２４に１枚ずつ振り分け、続いて券情報読取部４３が商品券類シートＳ（１）を読み取ったとき、商品券類シートＳ（１）を予め定められた区分にしたがってＭ個の券一時貯留部５５とＮ個の券集積部２５と１個の券排除部２４とに選択的に振り分けることになる。
【００７３】
また、以上においては、使用済みの商品券類シートＳ（１）を、発行元に回収する商品券類シートＳ（１）と、回収せずに商品券類処理機１１の管理側で廃棄する商品券類シートＳ（１）とに振り分けるようにしたが、ローカルモードにおいて、表示操作部（種類入力手段）１８への操作入力で、振り分ける種類を指定して、指定された種類の商品券類シートＳ（１）と、それ以外の商品券類シートＳ（１）とに、券情報読取部４３の読み取り結果に基づいて振り分けるようにしても良い。
【００７４】
この場合、制御部３３は、商品券類シートＳ（１）の種類が選択されると、選択された種類と識別した商品券類シートＳ（１）、つまり複数のマスタデータのうち選択された種類のマスタデータと一致すると識別した商品券類シートＳ（１）を券一時貯留部５５に送り込み、選択された種類とは異なる種類と識別した商品券類シートＳ（１）、つまり複数のマスタデータのうち選択された種類以外のマスタデータと一致すると識別した商品券類シートＳ（１）を券集積部２５に送り込み、これら以外の、選択された種類および選択された種類とは異なる種類のいずれのマスタデータにも一致すると識別されなかった商品券類シートＳ（１）を、券排除部２４に送り込むようにしても良い。あるいは、選択された種類と識別した商品券類シートＳ（１）を券集積部２５に送り込み、選択された種類とは異なる種類と識別した商品券類シートＳ（１）を券一時貯留部５５に送り込み、選択された種類および選択された種類とは異なる種類のいずれにも識別されなかった商品券類シートＳ（１）を、券排除部２４に送り込むようにしても良い。この場合、例えば、種類として特定の発行元を指定することで、特定の発行元の商品券類シートＳ（１）を、他の発行元の商品券類シートＳ（１）と分類することができる。このように、振り分けの仕方を容易に設定可能になる。
【図面の簡単な説明】
【００７５】
【図１】本発明の一実施形態の商品券類処理機を示す斜視図である。
【図２】本発明の一実施形態の商品券類処理機を示す側断面図である。
【図３】本発明の一実施形態の商品券類処理機で処理される商品券類シートの一例を示す正面図である。
【図４】本発明の一実施形態の商品券類処理機に用いられる処理特定シートの一例を示す正面図である。
【図５】本発明の一実施形態の商品券類処理機に用いられる終了シートの一例を示す正面図である。
【図６】本発明の一実施形態の商品券類処理機に対し投入されるシートの投入時の配列を示す側面図である。
【符号の説明】
【００７６】
１１  商品券類処理機
１８  表示操作部（操作部，種類入力手段）
１９  券投入部
２４  券排除部
２５  券集積部
３７  券搬送部
３３  制御部
４３  券情報読取部
５１  上流側券振分部（券振分手段）
５２  下流側券振分部（券振分手段）
５５  券一時貯留部
６０  券収納部
６５  エンドーサ
Ｓ（１）  商品券類シート（シート）
Ｓ（２）  処理特定シート（シート）
Ｓ（３）  終了シート（シート）
【図１】
0005124309.tif 000002
【図２】
0005124309.tif 000003
【図３】
0005124309.tif 000004
【図４】
0005124309.tif 000005
【図５】
0005124309.tif 000006
【図６】
0005124309.tif 000007